(57)【特許請求の範囲】
【請求項１】
遊技者の発射操作に基づき発射される遊技球が流下する遊技領域が形成された遊技盤に配設され、該遊技領域を流下する遊技球を入球可能な入賞装置と、該入賞装置の直下に配置される始動口と、を備えた遊技機において、
前記入賞装置は、
前面が開口した凹室形状をなすユニットベースと、
該ユニットベース上部に配設され、略すり鉢状に形成されるとともに、その底面に２つの振分口が設定された上部振分部材と、
該上部振分部材によって振り分けられた遊技球を、当該ユニットベースの奥手方向に向かって流下させ得る振分流路部材と、
前記ユニットベース下部に配設され、略すり鉢状に形成されるとともに、その底面に、遊技球を遊技領域へ流下案内させ得る複数の第１流下口と、遊技球を直下の始動口へ流下案内させ得る第２流下口と、が設定された下部振分部材と、
前記上部振分部材により振り分けられた遊技球を、前記下部振分部材まで誘導するための複数の誘導路と、
を備え、
前記下部振分部材の下側には、前記第１流下口から流下する遊技球を遊技領域へ流下案内するための第１流下路と、前記第２流下口から流下する遊技球を始動口の直上へ流下案内する第２流下路と、が形成されるとともに、前記ユニットベースの下部側面に前記凹室の下側を照らすように略水平に内側に向けて配設された発光部材の照射方向に位置して該発光部材により照らされる振分板を備え、
前記始動口は、前記第２流下口に流入した遊技球が高い確率で入賞可能であり、
前記複数の誘導路は、
前記上部振分部材の一方の振分口から振分流路部材を介して奥手方向に流下した遊技球を、後方から当該ユニットベースの凹室内を旋回するようにしながら誘導し、かつ、前記下部振分部材の外周の周方向に沿って該下部振分部材に流入させる第１誘導路と、
前記上部振分部材の他方の振分口から振分流路部材を介して奥手方向に流下した遊技球を、後方から当該ユニットベースの凹室内を旋回するようにしながら、前記下部振分部材の第２流下口の直上まで誘導する第２誘導路と、からなり、
前記第２誘導路は、上面が開口した溝状流路によって構成されるとともに、当該第２誘導路の内側面には、流下する遊技球の流下速度を減衰させるための複数の突部が形成されることを特徴とする遊技機。
【請求項２】
前記ユニットベースの奥側内面には、前記振分流路部材によって奥手方向に流下した遊技球を、前記第１誘導路へ流下させるための第１連通路と、該第１連通路から流下する遊技球を前記第１誘導路へ誘導しやすくするための誘導壁部と、が立設され、
前記上部振分部材に設定される２つの振分口は、当該上部振分部材の中心を挟んで左右方向に対向するように設けられ、
前記下部振分部材に設定される第１流下口は、前記第２流下口よりもその形状を大きく設定され、
前記上部振分部材の一方の振分口から、前記振分流路部材と、前記第１連通路、及び前記誘導壁部と前記第１誘導路を介して後方から誘導された遊技球は、他方となる側の前記下部振分部材上に流入し、当該下部振分部材上を回転して、前記第１流下口及び前記第２流下口のいずれかに流下し、前記発光部材により照らされる前記第１流下路及び第２流下路により、遊技領域及び始動口の直上に流下することを特徴とする請求項１に記載の遊技機。
【請求項３】
前記ユニットベースの奥側内面には、前記振分流路部材によって奥手方向に流下した遊技球を、前記第２誘導路へ流下させるための第２連通路が立設され、
前記第２誘導路の先端を、前記第２流下口の直上に設定するとともに、当該第２流下口に遊技球が流下し得る球導出口を開設し、
前記上部振分部材の他方の振分口から、前記振分流路部材と、前記第２連通路、及び前記第２誘導路を介して後方から誘導された遊技球は、前記球導出口から前記第２流下口に流下し得るように誘導され、前記発光部材により照らされる前記第２流下路により始動口の直上に流下し得るようにしたことを特徴とする請求項１又は２に記載の遊技機。
【発明の詳細な説明】
【技術分野】
【０００１】
本発明は、遊技領域が形成された遊技盤に配設され、該遊技領域を流下する遊技球を入球可能な入賞装置と、該入賞装置の直下に配置される始動口と、を備えた遊技機に関する。
【背景技術】
【０００２】
従来、遊技機に設けられる遊技球振り分けのための回転体は、入賞装置内に上下に２つのクルーンを配置し、上クルーンには前後方向に２つの穴が開設され、入賞装置上部のチャッカーから入賞した遊技球がどちらかの穴を通過するようになっている。また、下クルーンには、上クルーンの穴を通過した遊技球が入球可能な３つの穴が開設され、３つのうち、１つの穴は上クルーンの手前側の穴と連通している。そして、この回転体では、下クルーンの手前側の穴に入球すると、盤面に配設された複数の電動役物が連動して開放動作を行う遊技者に有利な状態が発生する。すなわち、上クルーンの手前側の穴を通過すると、直下の下クルーンの当り穴に直接入球する構成になっている。また、上クルーンにおける奥手側の穴を通過すると、下クルーンへ誘導され、下クルーン上を回転して、３つの内いずれかの穴に入球するようになっている。
【０００３】
また、例えば特許文献１のように、抽選回数の少ないパチンコ機において、２つのクルーン（振分手段）を単に上下方向に配置するのではなく、一次抽選がはずれてはずれ球を誘導する誘導口に侵入した遊技球を、別の箇所まで誘導し、複数の開口のうち一の開口を復活口として設定したクルーン上に流出させて二次振り分けを行い、権利発生入賞装置に導いて入賞させるようにすることで、一次抽選ではずれても、二次振り分けによって特別遊技権利の獲得の可能性を持たせ、遊技者に最後まで期待感を失わせず、遊技を楽しませることができるようにした遊技機が提案されている。
【特許文献１】特開２００４−２９８２６３号公報
【発明の開示】
【発明が解決しようとする課題】
【０００４】
しかし、上記のような遊技機における２段構成のクルーンを有する遊技機は、当り／はずれの抽選を行う際の球の動きは、クルーン上を回転するのみという非常に単純な動きでしかなく、特段に遊技者の目を引くようなものではなかった。
また、上クルーンにおいて手前側の穴を通過した遊技球は、直下の穴に入球することで遊技者に有利な状態を発生させるようになっているが、この場合、いわゆる当り穴へ入球するまでの球の動きに変化がなく、ストレートに落下するのみで、せっかく当り穴へ入球するということへの遊技者の期待感や興趣を向上させることはできない。
【０００５】
またさらに、クルーンを２段に配置すると、遊技盤面の限られたスペースに入賞装置を配置するという点、その入賞装置内に多段に形成されたクルーン上をさらに遊技球が動き、転動するという点などから、あまり複雑な転動をさせることができず、かえって窮屈な印象を与え、遊技者は遊技を十分に楽しむことができない。
そこで、特許文献１のような遊技機においては、一次抽選で当りとなると、やはりストレートで権利発生入賞装置に流下してしまうため、せっかくの当りへの流路であっても、遊技者は遊技機本来の目的である遊技球の転動を楽しむという機会がなく、故に、当りへの流路（Ｖ誘導路）へ誘導されることが分かると、その時点で遊技球の転動に興味を示さなくなり、興趣が半減してしまうことが考えられる。
【０００６】
また、特許文献１のような構造では、各々の流路（ルート）を樋として別個で設けるようにしているので、限られた遊技盤のスペースを有効に活用することができず、窮屈な印象を与える遊技機となるとともに、組み付け性の点でも非常に煩雑な遊技機であるという問題がある。
【０００７】
本発明の目的は、遊技領域が形成された遊技盤に配設され、該遊技領域を流下する遊技球を入球可能な入賞装置と、該入賞装置の直下に配置される始動口と、を備えた遊技機において、遊技球が当り穴に入るまでの過程に変化を持たせて遊技者の興趣を持続させることである。
【課題を解決するための手段】
【０００８】
上記課題を解決するため、
請求項１に記載の発明は、遊技者の発射操作に基づき発射される遊技球が流下する遊技領域が形成された遊技盤に配設され、該遊技領域を流下する遊技球を入球可能な入賞装置と、該入賞装置の直下に配置される始動口と、を備えた遊技機において、
前記入賞装置は、
前面が開口した凹室形状をなすユニットベースと、
該ユニットベース上部に配設され、略すり鉢状に形成されるとともに、その底面に２つの振分口が設定された上部振分部材と、
該上部振分部材によって振り分けられた遊技球を、当該ユニットベースの奥手方向に向かって流下させ得る振分流路部材と、
前記ユニットベース下部に配設され、略すり鉢状に形成されるとともに、その底面に、遊技球を遊技領域へ流下案内させ得る複数の第１流下口と、遊技球を直下の始動口へ流下案内させ得る第２流下口と、が設定された下部振分部材と、
前記上部振分部材により振り分けられた遊技球を、前記下部振分部材まで誘導するための複数の誘導路と、
を備え、
前記下部振分部材の下側には、前記第１流下口から流下する遊技球を遊技領域へ流下案内するための第１流下路と、前記第２流下口から流下する遊技球を始動口の直上へ流下案内する第２流下路と、が形成されるとともに、前記ユニットベースの下部側面に前記凹室の下側を照らすように略水平に内側に向けて配設された発光部材の照射方向に位置して該発光部材により照らされる振分板を備え、
前記始動口は、前記第２流下口に流入した遊技球が高い確率で入賞可能であり、
前記複数の誘導路は、
前記上部振分部材の一方の振分口から振分流路部材を介して奥手方向に流下した遊技球を、後方から当該ユニットベースの凹室内を旋回するようにしながら誘導し、かつ、前記下部振分部材の外周の周方向に沿って該下部振分部材に流入させる第１誘導路と、
前記上部振分部材の他方の振分口から振分流路部材を介して奥手方向に流下した遊技球を、後方から当該ユニットベースの凹室内を旋回するようにしながら、前記下部振分部材の第２流下口の直上まで誘導する第２誘導路と、からなり、
前記第２誘導路は、上面が開口した溝状流路によって構成されるとともに、当該第２誘導路の内側面には、流下する遊技球の流下速度を減衰させるための複数の突部が形成されることを特徴としている。
【０００９】
請求項１に記載の発明によれば、入賞装置は、ユニットベースの上部に配設され、２つの振分口が設定された上部振分部材と、ユニットベース下部に配設され、遊技球を遊技領域へ流下案内させ得る複数の第１流下口と、遊技球を直下の始動口へ流下案内させ得る第２流下口と、が設定された下部振分部材とを備えるので、複数回の振分遊技が行われ、遊技の興趣が向上する。
下部振分部材の下側には、第１流下口から流下する遊技球を遊技領域へ流下案内するための第１流下路と、第２流下口から流下する遊技球を始動口の直上へ流下案内する第２流下路と、が形成されるとともに、ユニットベースの下部側面に凹室の下側を照らすように略水平に内側に向けて配設された発光部材の照射方向に位置して該発光部材により照らされる振分板を備えるので、振り分けられた末の最終結果が導出される場所を照らすことで、その後に行なわれる遊技内容に対する遊技者の期待感や興趣を高める。
さらに、上部振分部材の一方の振分口から振分流路部材を介して奥手方向に流下した遊技球を、ユニットベースの凹室内を旋回するようにしながら誘導し、かつ、下部振分部材の外周の周方向に沿って該下部振分部材に流入させる第１誘導路と、上部振分部材の他方の振分口から振分流路部材を介して奥手方向に流下した遊技球を、ユニットベースの凹室内を旋回するようにしながら下部振分部材の第２流下口の直上まで誘導する第２誘導路と、からなる複数の誘導路を備え、前記第２誘導路は、上面が開口した溝状流路によって構成されるとともに、当該第２誘導路の内側面には、流下する遊技球の流下速度を減衰させるための複数の突部が形成されるので、第２流下口（いわゆる当り穴）までの遊技球の流れに変化を持たせ、その過程を遊技者に楽しませることができるとともに遊技球の勢いを落として第２流下口直上へ誘導することができる。
また、下部振分部材まで誘導された場合にも、当該下部振分部材上を回転し、第１流下口と第２流下口のいずれかの穴に落下するようになっているので、最後まで遊技球が始動口へ入るという遊技者の期待感を持続させることができる。
【００１０】
請求項２に記載の発明は、請求項１に記載の遊技機であって、前記ユニットベースの奥側内面には、前記振分流路部材によって奥手方向に流下した遊技球を、前記第１誘導路へ流下させるための第１連通路と、該第１連通路から流下する遊技球を前記第１誘導路へ誘導しやすくするための誘導壁部と、が立設され、
前記上部振分部材に設定される２つの振分口は、当該上部振分部材の中心を挟んで左右方向に対向するように設けられ、
前記下部振分部材に設定される第１流下口は、前記第２流下口よりもその形状を大きく設定され、
前記上部振分部材の一方の振分口から、前記振分流路部材と、前記第１連通路、及び前記誘導壁部と前記第１誘導路を介して後方から誘導された遊技球は、他方となる側の前記下部振分部材上に流入し、当該下部振分部材上を回転して、前記第１流下口及び前記第２流下口のいずれかに流下し、前記発光部材により照らされる前記第１流下路及び第２流下路により、遊技領域及び始動口の直上に流下することを特徴とする。
【００１１】
請求項２に記載の発明によれば、ユニットベースの奥側内面には、振分流路部材によって奥手方向に流下した遊技球を、第１誘導路へ流下させるための第１連通路と、該第１連通路から流下する遊技球を第１誘導路へ誘導しやすくするための誘導壁部と、が立設されているので、確実に遊技球を第１誘導路へ誘導することができる。
また、下部振分部材に設定される第１流下口は、第２流下口よりもその形状を大きく設定され、上部振分部材の一方の振分口から誘導された遊技球は、他方となる側の下部振分部材上に流入し、当該下部振分部材上を回転して第１流下口及び第２流下口のいずれかに流下し、発光部材により照らされる第１流下路及び第２流下路により、遊技領域及び始動口の直上に流下するので、いずれかの穴に入るまでの遊技球の流れに変化を持たせ、その過程を遊技者に楽しませることができる。
また、上部振分部材に設定される２つの振分口は、当該上部振分部材の中心を挟んで左右方向に対向するように設けられ、上部振分部材に設定された２つの振分口のうち、下部振分部材で第１流下口（いわゆるはずれ穴）に入る可能性の高い方の振分口に入っても、下部振分部材で転動させることにより、最後まで遊技球に対する遊技者の期待感を持続させることができる。
【００１２】
請求項３に記載の発明は、請求項１又は２に記載の遊技機であって、前記ユニットベースの奥側内面には、前記振分流路部材によって奥手方向に流下した遊技球を、前記第２誘導路へ流下させるための第２連通路が立設され、
前記第２誘導路の先端を、前記第２流下口の直上に設定するとともに、当該第２流下口に遊技球が流下し得る球導出口を開設し、
前記上部振分部材の他方の振分口から、前記振分流路部材と、前記第２連通路、及び前記第２誘導路を介して後方から誘導された遊技球は、前記球導出口から前記第２流下口に流下し得るように誘導され、前記発光部材により照らされる前記第２流下路により始動口の直上に流下し得るようにしたことを特徴とする。
【００１３】
請求項３に記載の発明によれば、ユニットベースの奥側内面には、振分流路部材によって奥手方向に流下した遊技球を、第２誘導路へ流下させるための第２連通路が立設されているので、確実に遊技球を第２誘導路へ誘導することができる。
また、第２誘導路の先端を、第２流下口の直上に設定するとともに、当該第２流下口に遊技球が流下し得る球導出口を開設し、上部振分部材の他方の振分口から誘導された遊技球は、球導出口から第２流下口に流下し得るように誘導され、発光部材により照らされる第２流下路により始動口の直上に流下し得るようにしたので、第２流下口（いわゆる当り穴）までの遊技球の流れに変化を持たせ、その過程を遊技者に楽しませることができる。
また、上部振分部材に設定された２つの振分口のうち、下部振分部材で第２流下口（いわゆる当り穴）に入る可能性の高い方の振分口に入っても、その傾斜や振動等により、必ずしもそのまま第２流下口に入るとは限らず、最後まで遊技球に対する遊技者の期待感を持続させることができる。
【発明の効果】
【００１４】
本発明によれば、入賞装置は、ユニットベースの上部に配設され、２つの振分口が設定された上部振分部材と、ユニットベース下部に配設され、遊技球を遊技領域へ流下案内させ得る複数の第１流下口と、遊技球を直下の始動口へ流下案内させ得る第２流下口と、が設定された下部振分部材とを備えるので、複数回の振分遊技が行われ、遊技の興趣が向上する。
下部振分部材の下側には、第１流下口から流下する遊技球を遊技領域へ流下案内するための第１流下路と、第２流下口から流下する遊技球を始動口の直上へ流下案内する第２流下路と、が形成されるとともに、ユニットベースの下部側面に凹室の下側を照らすように略水平に内側に向けて配設された発光部材の照射方向に位置して該発光部材により照らされる振分板を備えるので、振り分けられた末の最終結果が導出される場所を照らすことで、その後に行なわれる遊技内容に対する遊技者の期待感や興趣を高める。
さらに、上部振分部材の一方の振分口から振分流路部材を介して奥手方向に流下した遊技球を、ユニットベースの凹室内を旋回するようにしながら誘導し、かつ、下部振分部材の外周の周方向に沿って該下部振分部材に流入させる第１誘導路と、上部振分部材の他方の振分口から振分流路部材を介して奥手方向に流下した遊技球を、ユニットベースの凹室内を旋回するようにしながら下部振分部材の第２流下口の直上まで誘導する第２誘導路と、からなる複数の誘導路を備え、前記第２誘導路は、上面が開口した溝状流路によって構成されるとともに、当該第２誘導路の内側面には、流下する遊技球の流下速度を減衰させるための複数の突部が形成されるので、第２流下口（いわゆる当り穴）までの遊技球の流れに変化を持たせ、その過程を遊技者に楽しませることができるとともに遊技球の勢いを落として第２流下口直上へ誘導することができる。
また、下部振分部材まで誘導された場合にも、当該下部振分部材上を回転し、第１流下口と第２流下口のいずれかの穴に落下するようになっているので、最後まで遊技球が始動口へ入るという遊技者の期待感を持続させることができる。
【発明を実施するための最良の形態】
【００１５】
以下、この発明の実施形態について図面を参照して説明する。
ここでは、本発明にかかる遊技機の適例としてのパチンコ遊技機について図１から図１１を用いて説明を行う。
【００１６】
図１には、ガイドレール２で囲まれ、遊技球を発射して遊技を行う遊技領域１ａが前面側に形成された遊技盤１を示した。なお、パチンコ遊技機の外枠であって島設備に固定される機枠や、遊技領域１ａの前面を覆うガラス枠、遊技盤１を取り付ける前面枠、遊技領域１ａの下側に設けられ遊技球を収容する上皿、下皿を有するとともに、遊技者が発射操作を行うための操作ハンドルを備えた操作パネルなどは図示を省略している。
【００１７】
遊技盤１は、各種部材の取付ベースとなる平板状の遊技盤本体１ｂ（木製もしくは合成樹脂製）を備え、該遊技盤本体１ｂの前面に、ガイドレール２で囲まれた遊技領域１ａを有している。このガイドレール２は略円形に形成されており、その一部は、矩形板状の遊技盤本体１ｂの前面における四隅に設けられた区画部材１ｃ，１ｃ，…の側面によって形成されている。そして、このガイドレール２で囲まれた遊技領域１ａ内に発射装置から遊技球（打球；遊技媒体）を発射して遊技を行うようになっている。
【００１８】
遊技領域１ａには、中央部に入賞装置１００が設けられ、その直下に始動口３が設けられている。また、入賞装置１００の上方には、始動口３への入球に基づき開閉する第１普通電動役物４が設けられている。また、始動口３の下方には、第２普通電動役物５、第３普通電動役物６、普図変動表示ゲームや普図変動表示ゲームの未処理回数、遊技状態などを表示する表示装置７が設けられている。この他、遊技領域１ａには、一般入賞口８，８，…、打球方向変換部材としての風車（図示略）、多数の障害釘（図示略）、入賞口などに入賞しなかった遊技球を回収するアウト穴９などが配設されている。
【００１９】
入賞装置１００の詳細については後述するが、この入賞装置１００においては、入賞した遊技球を始動口３の直上に排出するか否かの振分遊技が行われる。そして、遊技球が始動口３の直上に排出されて始動口３に流入すると、始動口３内に備えられた始動口センサによって検出され、これに基づき第１普通電動役物４が動作するようになっている。この第１普通電動役物４は左右一対の開閉部材４ａ，４ａを具備しており、この開閉部材４ａ，４ａは、常時は遊技球が流入不能な閉じた状態（遊技者にとって不利な状態）を保持しているが、始動口３への流入に基づき、駆動源（ソレノイド１１）によって、逆「ハ」の字状に開いて第１普通電動役物４に遊技球が流入し易い状態（遊技者にとって有利な状態）に変化させられるようになっている。
【００２０】
この第１普通電動役物４は、第１普図の始動入賞口も兼ねている。すなわち、第１普通電動役物４の内部（入賞領域）に備えられた第１普図始動入賞口センサ２０によって遊技球を検出することに基づき、第１普図の変動表示ゲームを開始する始動権利が発生するようになっている。また、第１普図の変動表示ゲームを開始できない状態、例えば、既に第１普図の変動表示ゲームが行われ、その第１普図の変動表示ゲームが終了していない状態や、第１普図の変動表示ゲームが当って第２普通電動役物５が開状態に変換されている場合に、第１普図始動入賞口センサ２０が遊技球を検出すると、第１普図始動記憶数の上限数（例えば４つ）未満でならば、第１普図始動記憶数が１加算されて第１普図始動記憶が１つ記憶されることとなる。この第１普図変動表示ゲームの始動記憶は表示装置７にて表示されるようになっている。そして、第１普図始動記憶数が１以上となった状態で、第１普図の変動表示ゲームが開始可能な状態となると、第１普図始動記憶数が１減算されるとともに、記憶された第１普図始動記憶に基づいて第１普図の変動表示ゲームが開始される。
【００２１】
第１普図の変動表示ゲームは表示装置７に表示されるようになっており、この第１普図の変動表示ゲームの結果があたりであった場合は、第２普通電動役物５が開放するようになっている。第２普通電動役物５は、上端側が手前側に倒れる方向に回動して開放可能になっているアタッカ形式の開閉扉５ａを有し、第１普図の変動表示ゲームの結果如何によって入賞口を閉じた状態（遊技者にとって不利な状態）から開放状態（遊技者にとって有利な状態）に変換する。なお、開閉扉５ａは、例えば、ソレノイドのような駆動装置により駆動される。
【００２２】
この第２普通電動役物５は、第２普図の始動入賞口も兼ねている。すなわち、第２普通電動役物５の内部（入賞領域）に備えられた第２普図始動入賞口センサによって遊技球を検出することに基づき、第２普図の変動表示ゲームを開始する始動権利が発生するようになっている。また、第２普図の変動表示ゲームを開始できない状態、例えば、既に第２普図の変動表示ゲームが行われ、その第２普図の変動表示ゲームが終了していない状態や、第２普図の変動表示ゲームが当って第３普通電動役物６が開状態に変換されている場合に、第２普図始動入賞口センサが遊技球を検出すると、第２普図始動記憶数の上限数（例えば４つ）未満でならば、第２普図始動記憶数が１加算されて第２普図始動記憶が１つ記憶されることとなる。この第２普図変動表示ゲームの始動記憶は表示装置７にて表示されるようになっている。そして、第２普図始動記憶数が１以上となった状態で、第２普図の変動表示ゲームが開始可能な状態となると、第２普図始動記憶数が１減算されるとともに、記憶された第２普図始動記憶に基づいて第２普図の変動表示ゲームが開始される。
【００２３】
第２普図の変動表示ゲームも表示装置７に表示されるようになっており、この第２普図の変動表示ゲームの結果があたりであった場合は、第３普通電動役物６が開放する。第３普通電動役物６も第２普通電動役物５と同様に、上端側が手前側に倒れる方向に回動して開放可能になっているアタッカ形式の開閉扉６ａを有し、第２普図の変動表示ゲームの結果如何によって入賞口を閉じた状態（遊技者にとって不利な状態）から開放状態（遊技者にとって有利な状態）に変換する。なお、開閉扉６ａは、例えば、ソレノイドのような駆動装置により駆動される。また、第３普通電動役物６の内部（入賞領域）には、該第３普通電動役物６に入った遊技球を検出するための第３普通電動役物用センサが配設されている。
【００２４】
この第２普通電動役物５の開閉動作とこれに引き続く第３普通電動役物６の開閉動作が一連の動作として１から３回繰り返され、これによって遊技者が容易に多量の遊技球を獲得可能となる。すなわち、始動口３への入賞に基づき多量の遊技球を獲得可能な大当たり状態が発生することとなる。
【００２５】
また、遊技領域１ａに設けられた一般入賞口８，８，…には、一般入賞口８，８，…に入った遊技球を検出するための一般入賞センサが配設されている。そして、遊技を開始することにより遊技領域１ａ内に打ち込まれた遊技球が、一般入賞口８，８，…、始動口３、第１普通電動役物４、第２普通電動役物５、第３普通電動役物６等の入賞口の何れかに入賞すると、それぞれの入賞口に対応した所定数の賞球が排出される（払い出される）ようになっている。
【００２６】
次に遊技領域１ａの略中央に配される入賞装置１００の詳細について説明する。
図２，３に示すように、この入賞装置１００は、前面側を構成する前面構成部材１０１と、前面構成部材１０１の後方に配される凹室状の入賞空間１２１を形成するユニットベース１２０とを備え、遊技盤本体１ｂに形成された入賞装置取付開口（図示略）に前面側から嵌め込まれるように取り付けられている。なお、前面構成部材１０１の上部には、第１普通電動役物４を配設する第１普通電動役物配設部１０２および一般入賞口８（天入賞口）を配設する一般入賞口配設部１０３が形成され、入賞装置１００と第１普通電動役物４、一般入賞口８が一体的に形成されるようになっている。
【００２７】
前面構成部材１０１は、ユニットベース１２０の前側を覆うとともに、凹室状の入賞空間１２１の開口に合わせた前方開口部１０４が形成された枠状に形成されている。この前面構成部材１０１は、遊技盤本体１ｂの前面側に突出するように配される前方突出部１０５と、前方突出部１０５の後端にあって外側に延出するように形成された板状の取付ベース１０６と、取付ベース１０６の後面側に後方へ突出するように形成された後方突出部１０７とを備える。
【００２８】
前方突出部１０５は、前方開口部１０４の周縁に沿って形成されていて、その前後幅は、遊技盤本体１ｂの前面から遊技領域１ａの前面側を覆うガラス板までの幅と略等しくされ、遊技領域１ａを流下する遊技球が、所定の流入部（上部振分部材１４１の前端部）以外から入賞空間１２１に侵入することを防止するようになっている。また、前方突出部１０５は、その形状及び外観により装飾部材としても機能し、さらに一部には、開口部１０８が形成されてレンズ部材１０９が嵌め込まれており、後述するユニットベース１２０に取り付けられた発光部材としてのＬＥＤ１３ａ，１３ａ，…からの光を透過し、光による装飾が可能となっている。
【００２９】
また、前方突出部１０５は、前方開口部１０４の上部において、前方開口部１０４を横切るように形成され、この部分の後方には後述するように円形の上部振分部材１４１の前端部が配される。このため、前方開口部１０４を横切るように形成された部分は、上部振分部材の前端部の形状に合わせてアーチ状に切欠きが形成されている。さらに、この部分においては、前側に突出した上部振分部材の前端部に遊技球を誘導するように、左右から中央に向かって下るように傾斜している。すなわち、この部分が遊技領域１ａから入賞空間１２１への流入部となる。
【００３０】
また、前方突出部１０５は、前方開口部１０４の下部において途切れた状態となっていて、この部分が入賞空間１２１から遊技領域１ａへの流出部となる。この部分には、後述するように振分装置１３９により振り分けられ、第１流下路１９２もしくは第２流下路１９３を流下した遊技球を遊技領域１ａの所定個所へ案内する流下案内部１１０が形成されている。
【００３１】
前方突出部１０５の後端部には、その外周に沿って外側に向かって鍔状に延出する板状の取付ベース１０６が形成されている。この取付ベース１０６は、遊技盤１に形成された図示しない入賞装置取付開口の周縁よりも外側に延出するように形成されており、入賞装置取付開口に入賞装置１００を前面側から挿入した際に、遊技盤本体１ｂの前面にその裏面が当接するようになっている。これによって、遊技盤本体１ｂに対する入賞装置１００の前後位置が所定の前後位置に設定されるようになっている。また、この取付ベース１０６には、前後に貫通するねじ穴１１４，１１４が形成されており、ねじによって入賞装置１００を遊技盤本体１ｂに固定できるようになっている。また、この取付ベース１０６も、その形状及び外観により装飾部材として機能し、一部には開口部１１１が形成されてレンズ部材１１２が嵌め込まれ、後述するユニットベース１２０に取り付けられた発光部材としてのＬＥＤ１３ａ，１３ａ，…からの光による装飾も可能となっている。
【００３２】
取付ベース１０６の後面側には、後方へ突出するリブ状の後方突出部１０７が形成されている。この後方突出部１０７は、遊技盤本体１ｂに形成された入賞装置取付開口の周縁に沿って嵌るように形成されており、これにより、遊技盤本体１ｂに対する入賞装置１００の位置が所定の位置に設定されるようになっている。また、この後方突出部１０７は、前面構成部材１０１の後方に取り付けられるユニットベース１２０と接する部分でもあり、後方突出部１０７に隣設して複数のねじ止め部が形成され、ユニットベース１２０をねじによって前面構成部材１０１の後方に固定できるようになっている。
【００３３】
また、取付ベース１０６は、前面構成部材１０１の上部において前方開口部１０４よりも大きく上側へ延出しており、この延出した部分には、第１普通電動役物配設部１０２、一般入賞口配設部１０３が形成されている。
【００３４】
第１普通電動役物配設部１０２の前面側には、一対の開閉部材４ａ，４ａと、開閉部材４ａ，４ａを回動可能に保持する保持部材１０、前方に突出する流下案内部１５が配されている。また、第１普通電動役物配設部１０２の後面側には、駆動源としてのソレノイド１１を備える駆動ユニット１２、ＬＥＤ１３ａ，１３ａ，…が配されたＬＥＤ基板１３、流入した遊技球を後方へ誘導する流下路１４が配されている。
【００３５】
一対の開閉部材４ａ，４ａは、遊技球の直径より若干広い程度の間隔をおいて配設されており、下端部に形成された図示しない回動軸が、開閉部材４ａ，４ａの前側に取り付けられる保持部材１０と第１普通電動役物配設部１０２との間に前後方向に沿って回動可能に保持されている。これによって、遊技球の直径より若干広い程度の間隔をおいて対向した閉じた状態と、逆「ハ」の字状に開いた状態とに変換可能となっている。また、第１普通電動役物配設部１０２には、開閉部材４ａ，４ａの上側に位置する部分に前方へ突出する板状の流下案内部１５が形成されており、開閉部材４ａ，４ａが閉じた状態で開閉部材４ａ，４ａの上部を覆って閉鎖し、第１普通電動役物４に遊技球が流入しないようになっている。
【００３６】
また、第１普通電動役物配設部１０２には、中央部に前後に貫通した遊技球が通過可能な大きさの貫通穴１６が形成されているとともに、後面側にはこの貫通穴１６に接続した樋状の流下路１４が形成されている。これにより、開閉部材４ａ，４ａが開いた状態で第１普通電動役物４に流入した遊技球は、この貫通穴１６を通って遊技盤１の後面側へ誘導されるようになっている。また、この貫通穴１６を通じて開閉部材４ａ，４ａの後端に後方へ突出するように形成された図示しない操作部が、第１普通電動役物配設部１０２の後面側に延出するようになっている。
【００３７】
第１普通電動役物配設部１０２の後面側には、駆動源としてのソレノイド１１を備える駆動ユニット１２が配されている。この駆動ユニット１２に取り付けられたソレノイド１１は、伸縮可能な出力軸１１ａに上下に回動可能な伝達部材１７が固定されていて、出力軸１１ａを退縮することで伝達部材１７が上方へ回動するようになっている。この伝達部材１７には、開閉部材４ａ，４ａの操作部の後端が係合するようになっていて、ソレノイド１１を退縮することにより伝達部材１７を介して操作部が操作され、開閉部材４ａ，４ａが開いた状態に変換されるようになっている。なお、出力軸１１ａには付勢部材１８が設けられていて、出力軸１１ａが伸張した状態となるように付勢されており、常時は開閉部材４ａ，４ａが閉じた状態となるようにされている。
【００３８】
また、駆動ユニット１２におけるソレノイド１１が取り付けられた部分の下部は、流路形成部１９とされ、樋状の流下路１４とともに第１普通電動役物４に流入した遊技球を流下案内する流路を形成している。この流路における駆動ユニット１２の下部に位置する部分には、流下する遊技球を検出可能な第１普図始動入賞口センサ２０が取り付けられており、第１普通電動役物４に流入した遊技球を検出できるようにされている。なお、この流路は、ユニットベース１２０の外周面の流路形成部１２８によって形成された流路に連続し、さらに、図示しない排出流路に接続しており、第１普通電動役物４に入賞して第１普図始動入賞口センサ２０に検出された遊技球は、遊技機外部の島設備に排出される。
【００３９】
また、第１普通電動役物配設部１０２の後面側には、複数の発光部材としてのＬＥＤ１３ａ，１３ａ，…を備えたＬＥＤ基板１３が取り付けられ、第１普通電動役物配設部１０２には、ＬＥＤ１３ａ，１３ａ，…からの光を前方へ通すための開口２１，２１が形成されている。この開口２１，２１の前側は、保持部材１０のレンズ部材１０ａ，１０ａが取り付けられた部分によって覆われるようになっており、光による装飾が可能となっている。
【００４０】
第１普通電動役物配設部１０２の上方に形成された一般入賞口配設部１０３は、上方に開口した流入口２３を形成する入賞口形成部材２４が前面側に取り付けられている。また、一般入賞口配設部１０３には、前後に貫通する貫通穴２５が形成されているとともに後面側にはこの貫通穴２５に接続した樋状の流下路２６が形成されている。なお、この流下路は、一般入賞口８，８，…に入賞した遊技球が流下する図示しない一般入賞流路に接続している。
【００４１】
ユニットベース１２０は透明な材質からなり、凹室状の入賞空間１２１を有していて、この入賞空間１２１の内部には振分遊技を行う振分装置１３９が配されている。なお、振分装置１３９の詳細については後述する。またユニットベース１２０には、発光部材としてのＬＥＤ１３ａ，１３ａ，…が複数配されたＬＥＤ基板１３を取り付けるＬＥＤ基板取付部が複数形成されている。このＬＥＤ基板取付部には、ユニットベース１２０の前端部近傍の側方に突出するように形成された側方基板取付部１２２，１２２、ユニットベース１２０の下部側面に形成された下部基板取付部１２３，１２３、ユニットベース１２０の後部に形成された後方基板取付部１２４がある。
【００４２】
図３，４に示すように、側方基板取付部１２２，１２２は、前側に開口した凹部１２２ａ，１２２ａを有し、この凹部内にＬＥＤ１３ａ，１３ａ，…が前側を照らすようにＬＥＤ基板１３が収納されている。この側方基板取付部１２２，１２２は、前面構成部材１０１のレンズ部材１０９，１１２が取り付けられた部分に対応して形成されていて、ＬＥＤ１３ａ，１３ａ，…からの光が前面構成部材１０１のレンズ部材１０９，１１２を通して視認可能となるようにされている。
【００４３】
また、下部基板取付部１２３，１２３には、ＬＥＤ基板１３が取り付けられた基板カバー２７を取り付けることでＬＥＤ基板１３が配されるようになっている。このように下部基板取付部１２３，１２３に取り付けられたＬＥＤ基板１３は、ＬＥＤ１３ａ，１３ａ，…が入賞空間１２１の下側を照らすような向きで配される。
【００４４】
また、後方基板取付部１２４には、振分装置１３９の誘導路を流下する遊技球を検出する後述する検出装置３０が備えられた部分を除いてＬＥＤ１３ａ，１３ａ，…が前方を照らすような向きでＬＥＤ基板１３が配されるようになっており、さらに、検出装置３０とＬＥＤ基板１３の後方側を覆うように基板カバー２８が取り付けられるようになっている。また、後方基板取付部１２４に配されるＬＥＤ基板１３は各ＬＥＤ基板１３，１３，…からの配線を中継する中継基板としての機能も有しており、ユニットベース１２０には各ＬＥＤ基板１３，１３，…からの配線を保持する配線保持部１２７，１２７，…が複数形成されている。
【００４５】
また、ユニットベース１２０の上部には、入賞装置１００の上部に配設された第１普通電動役物４に入賞した遊技球を流下案内する流路を形成する流路形成部１２８が形成されている。さらに、ユニットベース１２０の外周には、ねじ穴を有する取付部１２９，１２９，…が形成されており、ユニットベース１２０を前面構成部材１０１の後面側にねじによって固定できるようになっている。この他にユニットベース１２０には、位置決めのためのボス、ボスを受け入れる凹部やリブを受け入れるスリットなどが形成され、各種部材を適切な位置に固定できるようになっている。
【００４６】
入賞空間１２１に配された振分装置１３９は、図４，５に示すように、上部振分部材１４１と下部振分部材１７２の二つの振分部材を備えるとともに、上部振分部材１４１から下部振分部材１７２へ遊技球を流下誘導する複数の誘導路（第１誘導路１７３、第２誘導路１７４）、下部振分部材１７２の振分結果に応じて遊技球を遊技領域１ａへ誘導する振分板１９０を備える。このうち、上部振分部材１４１と誘導路の一部を構成する振分流路部材１５０は、予め組み立てられて上部ユニット１４０して入賞空間１２１に取り付けられている。また、下部振分部材１７２を備える下部ユニットベース１７１と誘導路の一部を構成する第２誘導路形成部材１７５も、予め組み立てられて下部ユニット１７０として入賞空間１２１に取り付けられている。また振分装置１３９の各部材は、透明な部材で形成されており、振分装置１３９を転動する遊技球の視認性が向上するようにされている。
【００４７】
上部ユニット１４０を構成する上部振分部材１４１は、円形皿状で上面が中心に向かって下る傾斜面となった略すり鉢状に形成されているとともに、中心付近に遊技球が流入可能な第１振分口１４３、第２振分口１４４が、中心を挟んで対向するように形成されたいわゆるクルーンである。この上部振分部材１４１はユニットベース１２０に形成された入賞空間１２１の上部に、前端部がユニットベース１２０の前端部よりも前側に突出するように配され、この突出した前端部は前面構成部材１０１の前方開口部１０４の上部に突出するようになっている。
【００４８】
また、上部振分部材１４１における円形部分を囲む側壁１４５は、ユニットベース１２０の前端部から突出する部分においては、他の部分より低く形成され、上部振分部材１４１の前端部を覆う前方突出部１０５における、遊技球を流下案内する上面と略同じ高さとなるようにされている。そして、上述したように、前面構成部材１０１の前方突出部１０５の上面は、前側に突出した上部振分部材１４１の前端部に遊技球を誘導するように形成されおり、これによって遊技球が円形の上部振分部材１４１の外周付近に、周方向に沿って流入するようになっている。すなわち、上部振分部材１４１は、遊技領域１ａから振分装置１３９への流入部としての機能を有している。
【００４９】
また、上部振分部材１４１における円形部分を囲む側壁１４５の外周面であって、中心を通り第１振分口１４３および第２振分口１４４を結ぶ直線上には、リブ状の突片１４６，１４６が外周面に対して垂直に外側へ突出するように形成されている。この突片１４６，１４６は、入賞空間１２１の上部における内側面に前後方向に沿って形成されたスリット１２５，１２５に嵌合可能であって、これにより上部振分部材１４１が第１振分口１４３と第２振分口１４４が左右に並んだ状態で入賞空間１２１の上部における所定位置に配されるようになっている。
【００５０】
また、この側壁１４５における後側の外周面には、弾性変形可能であるとともに先端部に係合爪１４８ａを有する係合部１４８が後方へ向かって突出するように形成されている。この係合部１４８が入賞空間１２１の内部に形成された係合突起１２６に係合することで、上部振分部材１４１が入賞空間１２１内に固定されるようになっている。
【００５１】
さらに、この側壁１４５における前側の外周面には、前側に突出する係合突部１４５ａが形成されている。この係合突部１４５ａは、上部振分部材１４１の前側を覆うように配される前方突出部１０５に係合可能であり、これにより上部振分部材１４１が簡単な構成でより確実に固定されるとともに、所定の位置に正確に固定される。このように、上部振分部材１４１の各部分がユニットベース１２０に保持され、確実に固定されることで、振動により振分確率が変化することを防止でき、遊技の公平さを確保することができる。すなわち、上部振分部材１４１は、ユニットベース１２０に保持される保持部（突片１４６，１４６、係合部１４８、係合突部１４５ａ）を複数備えていることとなる。
【００５２】
また、上部振分部材１４１の下面における外周部に隣接した部分であって、中心を通り第１振分口１４３および第２振分口１４４を結ぶ直線上には、下方へ突出するボス状の取付部１４９が形成され、ここに第１振分口１４３、第２振分口１４４に流入した遊技球を、入賞空間１２１の後方（奥手方向）へ流下案内する振分流路部材１５０が取り付けられている。
【００５３】
上部ユニット１４０を構成する振分流路部材１５０は、図５，６に示すように、第１振分口１４３に流入した遊技球を後方へ流下誘導する第１振分流路１５１、第２振分口１４４に流入した遊技球を後方へ流下誘導する第２振分流路１５２と、上部振分部材１４１に固定するための取付片１５３，１５３を備える。
【００５４】
第１振分流路１５１および第２振分流路１５２は、それぞれが遊技球を一列に流下可能な幅を有する上方に開口した溝状の流路であって、振分流路部材１５０の中央に沿って形成された振分流路隔壁１５４を挟んで隣接するように形成された平行な流路である。また、第１振分流路１５１および第２振分流路１５２は、振分流路部材１５０の上端部に対して底面が同じ一端側に向かって下る傾斜面とされており、傾斜に沿って遊技球を一端側へ流下案内できるようにされている。
【００５５】
この第１振分流路１５１および第２振分流路１５２の上流側端部は、側壁が形成されて閉鎖されているとともに、流路の延在方向に沿って下流側へ向かって下る上面を有するリブ１５５が突設され、各振分口１４３，１４４から流下した遊技球の流下方向を変更して確実に下流側へ誘導するようにされている。また、第１振分流路１５１および第２振分流路１５２の下流側端部は、側壁がなく開放された状態となっていて、後述する第１連通路１６１、第２連通路１６２に接続可能となっている。さらに、この下流側端部となる振分流路部材１５０の後端部には、後方へ突出する取付用突起１５６が形成されており、入賞空間１２１への取り付けの際に連通路１６１，１６２を形成する連通路形成部１６０に形成された取付孔１６３ａに挿入することで、振分流路１５１，１５２と連通路１６１，１６２が正確に接続できるようになっている。
【００５６】
また、第１振分流路１５１および第２振分流路１５２の側壁をなす振分流路部材１５０の左右側部であって、上流側端部に近い外側面には、側方へ突出する取付片１５３，１５３が形成されている。この取付片１５３，１５３は、振分流路部材１５０の上端部と平行に形成されるとともに、溝状の第１振分流路１５１および第２振分流路１５２が開口した上側に向かって開口する凹部１５３ａを有する。また、凹部１５３ａの底面にはねじ穴が形成されている。そして、この取付片１５３の凹部１５３ａに上部振分部材１４１に形成されたボス状の取付部１４９を受け入れた状態でねじ止めすることにより、振分流路部材１５０が上部振分部材１４１の下側における所定の位置に固定され、上部ユニット１４０が構成される。なお、振分流路部材１５０は、第１振分流路１５１および第２振分流路１５２の下流側端部が後方へ延在するように取り付けられる。
【００５７】
このように振分流路部材１５０を上部振分部材１４１に固定した状態では、溝状の第１振分流路１５１および第２振分流路１５２が上部振分部材１４１側に開口するように配されるとともに、第１振分口１４３のちょうど下側に第１振分流路１５１の上流側端部が配され、第２振分口１４４のちょうど下側に第２振分流路１５２の上流側端部が配される。また、第１振分流路１５１および第２振分流路１５２の底面は、上部振分部材１４１の下面から遊技球の直径以上の間隔をおいて配される。さらに、上部振分部材１４１の突片１４６，１４６と振分流路部材１５０の上端部が平行に配され、第１振分流路１５１および第２振分流路１５２の底面が後方へ下るように配される。
【００５８】
以上のような上部ユニット１４０は、ユニットベース１２０の前側から上部振分部材１４１の突片１４６，１４６をスリット１２５，１２５に挿入するように後方へ押し込むことで取り付けられるようになっている。このとき、上部振分部材１４１の後方に突出する係合部１４８は、係合爪１４８ａが係合突起１２６の前部に当接するが、さらに後方へ押し込まれることで係合部１４８が弾性変形する。そして係合爪１４８ａが係合突起１２６を乗り越えると、弾性変形していた係合部１４８が元の状態に復帰し、係合爪１４８ａが係合突起１２６に係合するようになっている。
【００５９】
また、振分流路部材１５０の後端部に突設された取付用突起１５６が連通路形成部１６０に形成された取付孔１６３ａに嵌ることで、振分流路１５１，１５２と連通路１６１，１６２とが正しく接続されるようになっている。さらに、ユニットベース１２０を前面構成部材１０１に取り付けることで、上部振分部材１４１の前端部に形成された係合突部１４５ａが前方突出部１０５に係合し、確実に固定されるようになっている。
【００６０】
入賞空間１２１の後壁には、振分流路１５１，１５２の下流側端部に接続する連通路１６１，１６２が形成されている。この連通路１６１，１６２は、後壁から入賞空間１２１内に突出する連通路形成部１６０によって形成された溝状の流路で、第１振分流路１５１に接続する第１連通路１６１と、第２振分流路１５２に接続する第２連通路１６２とを備える。
【００６１】
この第１連通路１６１と第２連通路１６２は、振分流路部材１５０の振分流路隔壁１５４と接続するように形成された連通路隔壁１６３を境に左右に分かれるように形成されており、第１連通路１６１は前面側から見て左側に遊技球を誘導するように傾斜し、第２連通路１６２は前面側から見て右側に遊技球を誘導するように傾斜している。すなわち、第１振分流路１５１および第２振分流路１５２に沿って後方へ流下した遊技球の流下方向は、第１連通路１６１および第２連通路１６２に流入することよって左右方向に変換されるようになっている。
【００６２】
また、第１連通路１６１および第２連通路１６２の上流側端部に位置する入賞空間１２１の後壁には、第１振分流路１５１および第２振分流路１５２の延長線上にあたる部分にそれぞれ検出用開口１６４，１６４が形成され、ユニットベース１２０の後部に配された検出装置３０の検知板３１，３１が入賞空間１２１内に露出している。この検知板３１，３１は上下に回動可能に保持されていて、常時は回動範囲の上限位置にあって、遊技球が振分流路１５１，１５２から連通路１６１，１６２に落下する際に、遊技球が接触して押し下げられるようになっている。
【００６３】
検出装置３０には検知板３１，３１が押し下げられたことを検出するセンサ３２，３２が備えられており、これによって遊技球の通過を検出するようになっている。検知板３１，３１が押し下げられたことを検出するセンサ３２，３２は、例えば、発光部と受光部が対向するように配された光センサであって、検知板３１，３１が押し下げられることに伴い、発光部と受光部の間に遮光板が挿入されるように構成されている。このような構成によって、遊技球が第１振分流路１５１と第２振分流路１５２の何れの流路を流下したかを検出することができ、このことから上部振分部材１４１における振り分けの結果を検出することができる。
【００６４】
前面側から見て左側へ下る第１連通路１６１においては、検出用開口１６４，１６４を過ぎてすぐに溝状の流路が途切れているとともに、流下方向の前方に遊技球の直径程度の間隔をおいて、流下する遊技球を下方に誘導する誘導壁部１６５が形成されている。この誘導壁部１６５によって下方に誘導される先には、後述する下部ユニット１７０に形成された第１誘導路１７３が配されている。また、前面側から見て右側へ下る第２連通路１６２は入賞空間１２１の右端部まで延在し、後述する下部ユニット１７０に設けられた第２誘導路１７４に接続するようになっている。
【００６５】
下部ユニット１７０は、図５，７に示すように、下部振分部材１７２と第１誘導路１７３が一体に形成された下部ユニットベース１７１に、第２誘導路１７４を構成する第２誘導路形成部材１７５が取り付けられることで構成されており、入賞空間１２１の下側部分に配されるようになっている。
【００６６】
この下部ユニット１７０を構成する下部ユニットベース１７１の中央部には、下部振分部材１７２が形成されている。下部振分部材１７２は、上部振分部材１４１と同様に、円形皿状で上面が中心に向かって下る傾斜面となった略すり鉢状に形成されているとともに、中心付近に遊技球が流入可能な第１流下口１７６，１７６、第２流下口１７７が中心の周りに等間隔（１２０度おきに）形成されたいわゆるクルーンである。
【００６７】
下部振分部材１７２において中心の周りに等間隔に形成された第１流下口１７６，１７６、第２流下口１７７は、第２流下口１７７が中心に対して下部ユニットベース１７１の正面に位置し、第１流下口１７６，１７６は後方に位置するように形成されている。第２流下口１７７に流入した遊技球は、後述するように高い確率で始動口３に誘導されるようになっており、この第２流下口１７７は所謂当たり穴である。これに対し、第１流下口１７６，１７６に流入した遊技球は、始動口３から離れるように誘導されるようになっており、この第１流下口１７６，１７６は所謂はずれ穴である。
【００６８】
なお、第２流下口１７７は一つのみ形成されているのに対し第１流下口１７６，１７６は二つ形成されており、さらに、第２流下口１７７よりも第１流下口１７６，１７６の方が大きく形成されていることから、第２流下口１７７への入賞確率は第１流下口１７６，１７６への入賞確率よりも低くなっている。また、この下部振分部材１７２の前端部は、上部振分部材１４１の前端部と同じ程度ユニットベース１２０の前端部よりも前側に突出するように配され、この突出した前端部は前面構成部材１０１の前方開口部１０４の下部に突出するようになっている。
【００６９】
また、下部ユニットベース１７１における上面には、第１連通路１６１によって入賞空間１２１の左側に誘導された遊技球を、下部振分部材１７２の右側の外周部へ誘導する第１誘導路１７３が形成されている。この第１誘導路１７３は、下部ユニットベース１７１の前面側から見て、後部における左端部から右側へ下って下部振分部材１７２の後方に至り、さらにここから下部振分部材１７２の外周に沿って前側へ下るように形成されている。すなわち、第１誘導路１７３は、ユニットベース１２０の入賞空間１２１（凹室）内を旋回するようにしながら下るように形成されている。そして、この第１誘導路１７３の下流側端部は、下部振分部材１７２の外周部分に位置し、周方向に沿って遊技球を流入させるように形成されている。
【００７０】
また、下部ユニットベース１７１の上面であって、前面側から見て下部振分部材１７２の右側の部分は、第２誘導路１７４を形成する誘導路形成部材１７５を取り付ける誘導路形成部材取付部１７８とされている。この誘導路形成部材取付部１７８には、ねじ止め部１７８ａや誘導路形成部材１７５に形成されたボス状のねじ止め部１７９ｂ，１７９ｂを受け入れる凹部１７８ｂ，１７８ｂが形成されており、誘導路形成部材１７５を所定の位置に固定できるようになっている。
【００７１】
誘導路形成部材１７５は、下部ユニットベース１７１の右端部に沿って配される上流側部材１７９と、下部ユニットベース１７１の右端部から下部振分部材１７２の上方に延出するように配される下流側部材１８０とから構成されている。そして、誘導路形成部材取付部１７８に下流側部材１８０を取り付けた後、上流側部材１７９を取り付けることで、Ｌ字状の第２誘導路１７４がユニットベース１２０の入賞空間１２１（凹室）内を旋回するようにしながら下るように形成される。
【００７２】
第２誘導路１７４を形成する上流側部材１７９は、上方に開口する溝状の流路を有し、この流路が前方へ向かって下るように配される。この上流側部材１７９において下部ユニットベース１７１の後部に配されて第２誘導路１７４の上流側端部となる部分は、第２連通路１６２と接続する接続部とされていて、ここから流入した遊技球は溝状の流路に沿って前方へ誘導される。なお、溝状の流路を形成する側壁の内側面には、左右交互に複数の突部１７９ａ，１７９ａ，…が形成され、遊技球の流下速度が速くなりすぎないようにしている。また、下部ユニットベース１７１の前部に配される下流部分は、下部振分部材１７２が配された中央部に向かって流路が屈折し、下流側部材１８０と接続されるようになっている。
【００７３】
第２誘導路１７４を形成する下流側部材１８０は、底部に延在方向に沿った遊技球の径より狭い幅のスリット状の開口１８０ａが形成された溝状の流路で、前方から見て左側へ下るように形成されている。また、下流側端部には遊技球が通過可能な大きさの球導出口１８０ｂが形成され、この球導出口１８０ｂが下部振分部材１７２の第２流下口１７７の直上に配されるようになっている。これにより、第２連通路１６２からの遊技球が下部振分部材１７２の第２流下口１７７の上方に誘導され、高い確率で第２流下口１７７に流入するようにされる。なお、第２誘導路１７４は下部振分部材１７２の底面から、遊技球の直径より大きい間隔をおいて上方に配されており、下部振分部材１７２上を転動する遊技球が接触しないようにされている。
【００７４】
また、下部ユニットベース１７１の側面には、リブ状の突片１８１，１８１が側面に対して垂直に外側へ突出するように形成されている。この突片１８１，１８１は、入賞空間１２１の下部における内側面に前後方向に沿って形成されたスリット１３０，１３０に嵌合可能であって、これにより下部ユニット１７０が入賞空間１２１の下部における所定位置に配されるようになっている。さらに、下部ユニットベース１７１の後面には、後方へ突出する取付用突起１８２，１８２が形成され、この取付用突起１８２，１８２がユニットベース１２０の後面に形成された取付孔１３１，１３１に挿入されることによっても下部ユニット１７０が所定位置に配されるようになっている。また、下部ユニットベースの左右の底面が、入賞空間１２１の左右に形成された平面部１３４，１３４上に載置されることでも下部ユニット１７０が所定位置に配されるようになっている。
【００７５】
また、このように、下部ユニットベース１７１の各部分がユニットベース１２０に保持されることで、下部振分部材１７２が確実に固定されることとなり、振動により振分確率が変化することを防止でき、遊技の公平さを確保することができる。すなわち、下部振分部材１７２は、ユニットベース１２０に保持される保持部（突片１８１，１８１、取付用突起１８２，１８２、底面１７１ａ）を複数備えていることとなる。
【００７６】
図５，６に示すように、入賞空間１２１の下部であって下部振分部材１７２の下側には、下部振分部材１７２により振り分けられた遊技球を流下案内する振分板１９０が配されている。この振分板１９０は、矩形板状のベース部１９１と、該ベース部１９１の上面に形成された第１流下路１９２、第２流下路１９３と、該ベース部１９１の後方に形成された係合部１９４とを備える。
【００７７】
矩形板状のベース部１９１は、下部の前側における大部分が入賞空間１２１の底壁に形成された矩形状の切欠き１３２に収容されることで、所定の位置に配されるようになっている。すなわち、切欠き１３２の左右幅はベース部１９１の左右幅と等しく、これによって左右位置が決められるようになっている。また、切欠き１３２の前後幅はベース部１９１の前後幅よりも狭いが、ベース部１９１の下部には、切欠き１３２の前後幅にあわせて段部１９１ａが形成されており、この段部１９１ａが切欠きの後端部に当接することで、後方への移動が規制され、前後位置が決められるようになっている。
【００７８】
また、ベース部１９１の後端部には、弾性変形可能であるとともに先端部に係合爪１９４ａを有する係合部１９４が後方へ向かって突出するように形成されている。この係合部１９４が入賞空間１２１の内部に形成された振分板保持部１３３の係合突起１３３ａ，１３３ａに係合することで、振分板１９０が入賞空間１２１内に固定されるようになっている。
【００７９】
ベース部１９１の上面には、第１流下口１７６，１７６に流入した遊技球を流下案内する第１流下路１９２と、第２流下口１７７に流入した遊技球を流下案内する第２流下路１９３とが形成されている。上述したように、下部振分部材１７２に形成された流下口は、第２流下口１７７が中心に対して下部ユニットベース１７１の正面に配され、第１流下口１７６，１７６は後方に配されるようになっており、これに対応するように第１流下路１９２、第２流下路１９３が形成されている。
【００８０】
この第２流下路１９３は、ベース部１９１の前端における左右方向の中央に、前後方向に沿って形成された溝状の流路で、ベース部１９１の前端部に流出口を有する。また、第１流下路１９２は、第２流下路１９３の側方及び後方を囲むようにＵ字状に形成された溝状の流路で、ベース部１９１の前端部であって第２流下路１９３の流出口の左右に流出口を有する。また、第１流下路１９２、第２流下路１９３が形成されたベース部１９１の上面は前側に傾斜しており、第１流下路１９２、第２流下路１９３に流入した遊技球は、傾斜に沿って流下して流出口から流出するようになっている。
【００８１】
そして、このように形成された第１流下路１９２、第２流下路１９３は、上述したように振分板１９０が入賞空間１２１の所定位置に配されることで、第１流下路１９２が第１流下口１７６，１７６の下方に配され、第２流下路１９３が第２流下口１７７の下方に配されるようになっている。
【００８２】
さらに、図８，１０に示すように、ユニットベース１２０を前面構成部材１０１に取り付けることで、第１流下路１９２と第２流下路１９３の流出口が前面構成部材１０１の流下案内部１１０に臨むようになる。この流下案内部１１０には第１流下路１９２と第２流下路１９３を区画する区画壁１９５と接続するように、前方へ突出する二つの流下案内部材１１５，１１５が形成されていて、第１流下路１９２と第２流下路１９３を前方へ延長するようになっている。この流下案内部材１１５，１１５の側面であって第２流下路１９３側の面は上下方向に沿った垂直な面とされ、第２流下路１９３を流下した遊技球を直下の始動口３へ誘導可能とされている。また、流下案内部材１１５，１１５の側面であって第１流下路１９２側の面は、下側へ行くにつれて外側へ湾曲した曲面となっていて、第１流下路１９２を流下した遊技球を始動口３から離れた位置へ誘導するようになっている。
【００８３】
以上のことから、遊技領域１ａが形成された遊技盤１に配設され、該遊技領域１ａを流下する遊技球を入球可能な入賞装置１００と、該入賞装置１００の直下に配置される始動口３と、を備えた遊技機において、入賞装置１００は、前面が開口した凹室形状をなすユニットベース１２０と、該ユニットベース１２０上部に配設され、略すり鉢状に形成されるとともに、その底面に２つの振分口（第１振分口１４３、第２振分口１４４）が設定された上部振分部材１４１と、該上部振分部材１４１によって振り分けられた遊技球を、当該ユニットベース１２０の奥手方向に向かって流下させ得る振分流路部材１５０と、ユニットベース１２０下部に配設され、略すり鉢状に形成されるとともに、その底面に、遊技球を遊技領域１ａへ流下案内させ得る複数の第１流下口１７６，１７６と、遊技球を直下の始動口３へ流下案内させ得る第２流下口１７７と、が設定された下部振分部材１７２と、上部振分部材１４１により振り分けられた遊技球を、下部振分部材１７２まで誘導するための複数の誘導路（第１誘導路１７３、第２誘導路１７４）と、第１流下口１７６，１７６から流下する遊技球を遊技領域１ａへ流下案内するための第１流下路１９２と、第２流下口１７７から流下する遊技球を始動口３の直上へ流下案内する第２流下路１９３と、が形成された振分板１９０と、を備え、複数の誘導路は、上部振分部材１４１の一方の振分口（第１振分口１４３）から振分流路部材１５０を介して奥手方向に流下した遊技球を、後方から当該ユニットベース１２０の凹室内を旋回するようにしながら、下部振分部材１７２まで誘導する第１誘導路１７３と、上部振分部材１４１の他方の振分口（第２振分口１４４）から振分流路部材１５０を介して奥手方向に流下した遊技球を、後方から当該ユニットベース１２０の凹室内を旋回するようにしながら、下部振分部材１７２の第２流下口１７７の直上まで誘導する第２誘導路１７４と、からなることとなる。
【００８４】
なお、上述したように振分装置１３９における各部材のユニットベース１２０への組み付けは、主に部材どうしの係合や嵌合によって行うようにしており、ビスの使用個所が少なくなるようにされている。これにより、透明な部材から構成される振分装置１３９の美観を向上させることができるとともに、生産時の作業効率を向上させることができる。また、ビスの使用個所が少ないことでコストを削減することができる。すなわち、振分装置１３９を構成する部材は透明な材質からなり、各部材はユニットベース１２０に対して係合もしくは嵌合することで組み付けられていることとなる。
【００８５】
次に、以上のような構成を有する振分装置１３９における振分遊技について説明する。
遊技領域１ａに発射され、釘などに接触して入賞装置１００の上部に至った遊技球は、図８に示すように、前方突出部１０５の上部の斜面に沿って中央へ誘導される。この遊技球が誘導される前方突出部１０５の上部における中央には、上部振分部材１４１の前端部が突出しており、ここに誘導された遊技球は上部振分部材１４１に流入することとなる。このとき、前方突出部１０５の上部を流下する遊技球の流下方向は、円形の上部振分部材１４１の接線方向となっており、上部振分部材１４１に流入する遊技球は外周部分に周方向に沿って流入するようになっている。
【００８６】
上部振分部材１４１に流入した遊技球は、流入時の勢いがある程度残っている間は、上部振分部材１４１の外周部を周方向に沿って移動し、遊技球の勢いがなくなって速度が遅くなると、底面の傾斜に従って中央部側に寄ることになる。すなわち、遊技球の上部振分部材１４１上での周回速度が遅くなると、遊技球の周回する径が小さくなっていき、中央部に形成された第１振分口１４３、第２振分口１４４の何れかに流入する（振り分けられる）こととなる。
【００８７】
このような上部振分部材１４１における振り分けによって第２振分口１４４に流入した場合は、図９（ａ）に示すように、第２振分流路１５２を後方へ流下し、図９（ｂ）に示すように、第２連通路１６２を右側へ流下して第２誘導路１７４に至る。第２誘導路１７４に沿って流下した遊技球は、下流側端部に形成された球導出口１８０ｂから下方へ落下する。この球導出口１８０ｂの下方には、下部振分部材１７２の第２流下口１７７が位置しており、高い確率で第２流下口１７７に流入するようになっている。このように入賞空間１２１内を旋回するように遊技球を転動させることで、遊技の興趣を向上させることができる。
【００８８】
第２流下口１７７に流入した遊技球は、第２流下路１９３に流入して前方へ誘導され、図８に示すように、流下案内部１１０に形成された二つの流下案内部材１１５，１１５の間を通って直下に誘導され、始動口３に高い確率で流入するようになっている。この始動口３に遊技球が流入すると、上述したように多量の遊技球を獲得可能な大当たり状態が発生するようになっている。以上のことから、上部振分部材１４１で第２振分口１４４に流入した場合は、高い確率で始動口３に誘導されることとなる。すなわち、第２振分口１４４は当り振分口である。
【００８９】
以上のことから、ユニットベース１２０の奥側内面には、振分流路部材１５０によって奥手方向に流下した遊技球を、第２誘導路１７４へ流下させるための第２連通路１６２が立設され、第２誘導路１７４の先端を、第２流下口１７７の直上に設定するとともに、当該第２流下口１７７に遊技球が流下し得る球導出口１８０ｂを開設し、上部振分部材１４１の他方の振分口（第２振分口１４４）から、振分流路部材１５０と、第２連通路１６２、及び第２誘導路１７４を介して後方から誘導された遊技球は、球導出口１８０ｂから第２流下口１７７に流下し得るように誘導され、第２流下路１９３により始動口３の直上に流下し得るようにしたこととなる。
【００９０】
また、図１０、図１１（ａ）に示すように、上部振分部材１４１における振り分けによって第１振分口１４３に流入した場合は、第１振分流路１５１を後方へ流下し、図１１（ｂ）に示すように、第１連通路１６１を左側へ流下して第１誘導路１７３に至る。この第１誘導路１７３を流下した遊技球は下部振分部材１７２の外周部分に周方向に沿って流入する。このように入賞空間１２１内を旋回するように遊技球を転動させることで、遊技の興趣を向上させることができる。
【００９１】
下部振分部材１７２に流入した遊技球は、上部振分部材１４１の場合と同様に、流入時の勢いがある程度残っている間は、下部振分部材１７２の外周部を周方向に沿って移動し、遊技球の勢いがなくなって速度が遅くなると、底面の傾斜に従って中央部側に寄ることになる。すなわち、遊技球の下部振分部材１７２上での周回速度が遅くなると、遊技球の周回する径が小さくなっていき、中央部に形成された第１流下口１７６，１７６、第２流下口１７７の何れかに流入する（振り分けられる）こととなる。
【００９２】
この下部振分部材１７２における振り分けの結果、第１流下口１７６，１７６に流入した場合は、第１流下路１９２に流入して前方へ誘導され流下案内部１１０に至る。流下案内部１１０では、図１０に示すように、流下案内部材１１５，１１５が外側へ湾曲するように形成されており、第１流下路１９２を流下した遊技球は始動口３から離れる方向へ誘導されることとなる。また、第２流下口１７７に流入した場合は、上述したように始動口３へ誘導される。ただし、上述したように下部振分部材１７２における第２流下口１７７への振分確率は低くなっており、多くの遊技球は第１流下口１７６，１７６へ振り分けられる。すなわち、上部振分部材１４１の第１振分口１４３は、始動口３に誘導される確率が低いはずれ振分口であるが、この第１振分口１４３に流入しても、始動口３への入賞の可能性がまったく無いわけではなく、遊技者の期待感を持続させることができる。
【００９３】
以上のことから、ユニットベース１２０の奥側内面には、振分流路部材１５０によって奥手方向に流下した遊技球を、第１誘導路１７３へ流下させるための第１連通路１６１と、該第１連通路１６１から流下する遊技球を第１誘導路１７３へ誘導しやすくするための誘導壁部１６５と、が立設され、下部振分部材１７２に設定される第１流下口１７６，１７６は、第２流下口１７７よりもその形状を大きく設定され、上部振分部材１４１の一方の振分口（第１振分口１４３）から、振分流路部材１５０と、第１連通路１６１、及び誘導壁部１６５と第１誘導路１７３を介して後方から誘導された遊技球は、下部振分部材１７２上を回転して、当該下部振分部材１７２に設定された第１流下口１７６，１７６及び第２流下口１７７のいずれかに流下し、第１流下路１９２及び第２流下路１９３により、遊技領域１ａ及び始動口３の直上に流下することとなる。
【００９４】
以上のような遊技機は、遊技領域１ａが形成された遊技盤１に配設され、該遊技領域１ａを流下する遊技球を入球可能な入賞装置１００と、該入賞装置１００の直下に配置される始動口３と、を備えた遊技機であって、入賞装置１００は、前面が開口した凹室形状をなすユニットベース１２０と、該ユニットベース１２０上部に配設され、略すり鉢状に形成されるとともに、その底面に２つの振分口（第１振分口１４３、第２振分口１４４）が設定された上部振分部材１４１と、該上部振分部材１４１によって振り分けられた遊技球を、当該ユニットベース１２０の奥手方向に向かって流下させ得る振分流路部材１５０と、ユニットベース１２０下部に配設され、略すり鉢状に形成されるとともに、その底面に、遊技球を遊技領域１ａへ流下案内させ得る複数の第１流下口１７６，１７６と、遊技球を直下の始動口３へ流下案内させ得る第２流下口１７７と、が設定された下部振分部材１７２と、上部振分部材１４１により振り分けられた遊技球を、下部振分部材１７２まで誘導するための複数の誘導路（第１誘導路１７３、第２誘導路１７４）と、第１流下口１７６，１７６から流下する遊技球を遊技領域１ａへ流下案内するための第１流下路１９２と、第２流下口１７７から流下する遊技球を始動口３の直上へ流下案内する第２流下路１９３と、が形成された振分板１９０と、を備え、複数の誘導路は、上部振分部材１４１の一方の振分口（第１振分口１４３）から振分流路部材１５０を介して奥手方向に流下した遊技球を、後方から当該ユニットベース１２０の凹室（入賞空間１２１）内を旋回するようにしながら、下部振分部材１７２まで誘導する第１誘導路１７３と、上部振分部材１４１の他方の振分口（第２振分口１４４）から振分流路部材１５０を介して奥手方向に流下した遊技球を、後方から当該ユニットベース１２０の凹室内を旋回するようにしながら、下部振分部材１７２の第２流下口１７７の直上まで誘導する第２誘導路１７４と、からなる。
【００９５】
したがって、入賞装置１００は、ユニットベース１２０の上部に配設され、２つの振分口が設定された上部振分部材１４１と、ユニットベース１２０下部に配設され、遊技球を遊技領域１ａへ流下案内させ得る複数の第１流下口１７６，１７６と、遊技球を直下の始動口３へ流下案内させ得る第２流下口１７７と、が設定された下部振分部材１７２とを備えるので、複数回の振分遊技が行われ、遊技の興趣が向上する。
さらに、上部振分部材１４１の一方の振分口から振分流路部材１５０を介して奥手方向に流下した遊技球を、ユニットベース１２０の凹室内を旋回するようにしながら下部振分部材１７２まで誘導する第１誘導路１７３と、上部振分部材１４１の他方の振分口から振分流路部材１５０を介して奥手方向に流下した遊技球を、ユニットベース１２０の凹室内を旋回するようにしながら下部振分部材１７２の第２流下口１７７の直上まで誘導する第２誘導路１７４と、からなる複数の誘導路を備えるので、第２流下口１７７（いわゆる当り穴）までの遊技球の流れに変化を持たせ、その過程を遊技者に楽しませることができる。
また、下部振分部材１７２まで誘導された場合にも、当該下部振分部材１７２上を回転し、第１流下口１７６，１７６と第２流下口１７７のいずれかの穴に落下するようになっているので、最後まで遊技球が始動口３へ入るという遊技者の期待感を持続させることができる。
【００９６】
また、ユニットベース１２０の奥側内面には、振分流路部材１５０によって奥手方向に流下した遊技球を、第１誘導路１７３へ流下させるための第１連通路１６１と、該第１連通路１６１から流下する遊技球を第１誘導路１７３へ誘導しやすくするための誘導壁部１６５と、が立設され、下部振分部材１７２に設定される第１流下口１７６，１７６は、第２流下口１７７よりもその形状を大きく設定され、上部振分部材１４１の一方の振分口（第１振分口１４３）から、振分流路部材１５０と、第１連通路１６１、及び誘導壁部１６５と第１誘導路１７３を介して後方から誘導された遊技球は、下部振分部材１７２上を回転して、当該下部振分部材１７２に設定された第１流下口１７６，１７６及び第２流下口１７７のいずれかに流下し、第１流下路１９２及び第２流下路１９３により、遊技領域１ａ及び始動口３の直上に流下するようにしている。
【００９７】
したがって、ユニットベース１２０の奥側内面には、振分流路部材１５０によって奥手方向に流下した遊技球を、第１誘導路１７３へ流下させるための第１連通路１６１と、該第１連通路１６１から流下する遊技球を第１誘導路１７３へ誘導しやすくするための誘導壁部１６５と、が立設されているので、確実に遊技球を第１誘導路１７３へ誘導することができる。
また、下部振分部材１７２に設定される第１流下口１７６，１７６は、第２流下口１７７よりもその形状を大きく設定され、上部振分部材１４１の一方の振分口から誘導された遊技球は、下部振分部材１７２上を回転して第１流下口１７６，１７６及び第２流下口１７７のいずれかに流下し、第１流下路１９２及び第２流下路１９３により、遊技領域１ａ及び始動口３の直上に流下するので、いずれかの穴に入るまでの遊技球の流れに変化を持たせ、その過程を遊技者に楽しませることができる。
また、上部振分部材１４１に設定された２つの振分口のうち、下部振分部材１７２で第１流下口１７６，１７６（いわゆるはずれ穴）に入る可能性の高い方の振分口に入っても、下部振分部材１７２で転動させることにより、最後まで遊技球に対する遊技者の期待感を持続させることができる。
【００９８】
また、ユニットベース１２０の奥側内面には、振分流路部材１５０によって奥手方向に流下した遊技球を、第２誘導路１７４へ流下させるための第２連通路１６２が立設され、第２誘導路１７４の先端を、第２流下口１７７の直上に設定するとともに、当該第２流下口１７７に遊技球が流下し得る球導出口１８０ｂを開設し、上部振分部材１４１の他方の振分口（第２振分口１４４）から、振分流路部材１５０と、第２連通路１６２、及び第２誘導路１７４を介して後方から誘導された遊技球は、球導出口１８０ｂから第２流下口１７７に流下し得るように誘導され、第２流下路１９３により始動口３の直上に流下し得るようにしている。
【００９９】
したがって、ユニットベース１２０の奥側内面には、振分流路部材１５０によって奥手方向に流下した遊技球を、第２誘導路１７４へ流下させるための第２連通路１６２が立設されているので、確実に遊技球を第２誘導路１７４へ誘導することができる。
また、第２誘導路１７４の先端を、第２流下口１７７の直上に設定するとともに、当該第２流下口１７７に遊技球が流下し得る球導出口１８０ｂを開設し、上部振分部材１４１の他方の振分口から誘導された遊技球は、球導出口１８０ｂから第２流下口１７７に流下し得るように誘導され、第２流下路１９３により始動口３の直上に流下し得るようにしたので、第２流下口１７７（いわゆる当り穴）までの遊技球の流れに変化を持たせ、その過程を遊技者に楽しませることができる。
また、上部振分部材１４１に設定された２つの振分口のうち、下部振分部材１７２で第２流下口１７７（いわゆる当り穴）に入る可能性の高い方の振分口に入っても、その傾斜や振動等により、必ずしもそのまま第２流下口１７７に入るとは限らず、最後まで遊技球に対する遊技者の期待感を持続させることができる。
【０１００】
なお、本発明の遊技機は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【０１０１】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０２】
【図１】本発明を適用した一実施の形態の構成を示す遊技盤の正面図である。
【図２】入賞装置の前面側から見た斜視図である。
【図３】入賞装置の前面側から見た分解斜視図である。
【図４】入賞装置の前面側から見た分解斜視図である。
【図５】入賞装置の前面側から見た分解斜視図である。
【図６】（ａ）振分流路部材、振分板のユニットベースに対する取り付け位置を説明する斜視図、（ｂ）上部振分部材のユニットベースに対する取り付け位置を説明する斜視図である。
【図７】（ａ）誘導路形成部材の下部ユニットベースへの取り付け位置を説明する斜視図であって、誘導路形成部材の下面側を示す図、（ｂ）誘導路形成部材の下部ユニットベースへの取り付け位置を説明する斜視図であって、誘導路形成部材の上面側を示す図、（ｃ）下部ユニットベース、ユニットベースの後面側から見た分解斜視図である。
【図８】上部振分部材において第２振分口に流入した遊技球の転動態様を説明するための図であって、入賞装置の前面側から見た斜視図である。
【図９】上部振分部材において第２振分口に流入した遊技球の転動態様を説明するための図であって、（ａ）前面構成部材を取り外した状態の正面図、（ｂ）前面構成部材、上部ユニットを取り外した状態の正面図である。
【図１０】上部振分部材において第１振分口に流入した遊技球の転動態様を説明するための図であって、入賞装置の前面側から見た斜視図である。
【図１１】上部振分部材において第１振分口に流入した遊技球の転動態様を説明するための図であって、（ａ）前面構成部材を取り外した状態の前面側から見た斜視図、（ｂ）前面構成部材、上部ユニットを取り外した状態の正面図である。
【符号の説明】
【０１０３】
１        遊技盤
１ａ      遊技領域
３        始動口
１００    入賞装置
１２０    ユニットベース
１２１    入賞空間（凹室）
１４１    上部振分部材
１４３    第１振分口（振分口）
１４４    第２振分口（振分口）
１５０    振分流路部材
１６１    第１連通路（連通路）
１６２    第２連通路（連通路）
１６５    誘導壁部
１７２    下部振分部材
１７３    第１誘導路（誘導路）
１７４    第２誘導路（誘導路）
１７６    第１流下口
１７７    第２流下口
１８０ｂ  球導出口
１９０    振分板
１９２    第１流下路（流下路）
１９３    第２流下路（流下路）
【図１】
0005499229.tif 000002
【図２】
0005499229.tif 000003
【図３】
0005499229.tif 000004
【図４】
0005499229.tif 000005
【図５】
0005499229.tif 000006
【図６】
0005499229.tif 000007
【図７】
0005499229.tif 000008
【図８】
0005499229.tif 000009
【図９】
0005499229.tif 000010
【図１０】
0005499229.tif 000011
【図１１】
0005499229.tif 000012